(57)【特許請求の範囲】
【請求項１】
一枚のブランクシートから一体的に打ち抜かれた箱体形成片から成り、互いに連接された側面と、組立状態で連接された側面で形成される一開口端部を閉鎖する底部分と、前記底部分に交差して設けられている立上片と、前記立上片の上端部から折罫線を介して設けられ前記側面の一つに連続する上面片と、前記立上片と前記上面片の前記折罫線上に形成され収容物が嵌合される打ち抜き部が設けられ、前記立上片と前記上面片は、前記折罫線で互いに鈍角で交差し、前記上面片は、連続する前記側面から離れるにつれて下方に傾斜して設けられていることを特徴とする緩衝機能付包装用箱。
【請求項２】
前記底部分は、前記一側面に連続し前記底部分の一部を形成する第一底蓋片と、前記第一底蓋片が延出した側面に対向する側面から延出した第二底蓋片と、前記第一底蓋片と前記第二底蓋片の間に位置する一対の側面から延出した一対の底フラップと、前記一対の底フラップに形成され隣接する前記第一底蓋片または前記第二底蓋片に糊付けされる糊付片が設けられ、前記第一底蓋片の端部には、前記立上片と、前記立上片に連続する前記上面片と、前記上面片に連続し一個の前記側面に糊付けされる仕切り用糊付片が、互いに折罫線で区切られて設けられ、前記立上片は、底部から離れるにつれて連続する前記側面に近付くように傾斜して設けられている請求項１記載の緩衝機能付包装用箱。
【請求項３】
前記立上片には、前記第一底蓋片との連接方向に交差する側縁部から、側方に向かって延出する補強片が折罫線で区切られて設けられ、前記補強片の延出方向の途中には、延出方向に交差する折曲線が設けられ、組み立て状態で、前記補強片は前記上面片と反対側に折り返され、収容物は、前記立上片と前記補強片の間に挟まれて保持される請求項２記載の緩衝機能付包装用箱。
【請求項４】
前記補強片と、前記上面片と反対側に位置する前記側面との間には、平坦な収容物が挟まれて保持される請求項３記載の緩衝機能付包装用箱。
【請求項５】
前記第二底蓋片の端部には、前記第二底蓋片と面一に外側へ突出し前記第一底蓋片の裏面に重ねられる底部ロック片が設けられ、組立状態で前記底部ロック片は前記第一底蓋片の前記立上片に交差して係止され、底部分の形状を保持する請求項１または２記載の緩衝機能付包装用箱。
【請求項６】
前記立上片には、直線の押し罫線が設けられている請求項１または２記載の緩衝機能付き包装用箱。
【発明の詳細な説明】
【技術分野】
【０００１】
この発明は、箱体と一体に緩衝用仕切りが設けられ、収容物を緩衝的に保護する緩衝機能付包装箱に関する。
【背景技術】
【０００２】
従来、ブランクシートから一体的に打ち抜かれた箱体形成片を折り曲げて糊付けし、ワンタッチで引き起こして組立可能に形成された包装用箱がある。このような包装用箱には、ガラス瓶等の衝撃に弱い収容物を保持するための緩衝用の仕切り片が箱体形成片に一体に設けられているものがある。
【０００３】
例えば、特許文献１に開示されている包装用箱は、互いに連接された側面と、組立状態で、連接された側面により形成される一開口端部を閉鎖する底部分が設けられ、前記底部分は、前記一側面に連続し前記底部分の一部を覆う第一底蓋片と、この第一底蓋片の両側の側面から延出した一対の底フラップと、この第一底蓋片に対向する側面から延出した第二底蓋片が設けられている。第一底蓋片と第二底蓋片には、隣接する一方の底フラップに糊付けされる糊付片と、隣接する他方の底フラップに向かって突出する底部ロック片が各々設けられ、一対の底フラップにはこの底部ロック片が差し込まれるスリットが設けられている。この箱体形成片を組み立てたとき、この底部ロック片がスリットに差し込まれて底部分がロックされる。さらに、箱体形成片には、収容物を保持する緩衝用の仕切り片が設けられ、仕切り片は組立状態で底部分から立ち上がる立上片と、立上片に連続する上面片と、上面片に連続する側面に糊付けされる仕切り用糊付片が、互いに折罫線で区切られて設けられている。立上片と上面片の間の折罫線上には、収容物が嵌合される打ち抜き部が形成されている。
【先行技術文献】
【特許文献】
【０００４】
【特許文献１】特開２００８−５６２６２号公報
【発明の概要】
【発明が解決しようとする課題】
【０００５】
上記背景技術の場合、底フラップには底部ロック片が差し込まれるスリットを所定位置に所定形状で設ける必要があり、またほこり等が侵入するおそれがあった。また、収容物は仕切り片の打ち抜き部に嵌合されて保持されるが、打ち抜き部は正確に収容物の形状に沿う形状とする必要がある。
【０００６】
この発明は、上記背景技術の問題点に鑑みてなされたものであり、簡単な構造で底部と緩衝用の仕切り片の組み立てがワンタッチで確実に行われ、収容物を容易に入れることができる緩衝機能付包装用箱を提供することを目的とする。
【課題を解決するための手段】
【０００７】
本発明は、一枚のブランクシートから一体的に打ち抜かれた箱体形成片から成り、互いに連接された側面と、組立状態で連接された側面で形成される一開口端部を閉鎖する底部分と、前記底部分に交差して設けられている立上片と、前記立上片の上端部から折罫線を介して設けられ前記側面の一つに連続する上面片と、前記立上片と前記上面片の前記折罫線上に形成され収容物が嵌合される打ち抜き部が設けられ、前記立上片と前記上面片は、前記折罫線で互いに鈍角で交差している緩衝機能付包装用箱である。
【０００８】
前記上面片は、連続する前記側面から離れるにつれて下方に傾斜して設けられている。また、前記立上片は、底部から離れるにつれて連続する前記側面に近付くように傾斜して設けられている。
【０００９】
前記底部分は、前記一側面に連続し前記底部分の一部を形成する第一底蓋片と、前記第一底蓋片が延出した側面に対向する側面から延出した第二底蓋片と、前記第一底蓋片と前記第二底蓋片の間に位置する一対の側面から延出した一対の底フラップと、前記一対の底フラップに形成され隣接する前記第一底蓋片または前記第二底蓋片に糊付けされる糊付片が設けられている。前記第一底蓋片の端部には、前記立上片と、前記立上片に連続する前記上面片と、前記上面片に連続し一個の前記側面に糊付けされる仕切り用糊付片が、互いに折罫線で区切られて設けられている。
【００１０】
また、前記立上片には、前記第一底蓋片との連接方向に交差する側縁部から、側方に向かって延出する補強片が折罫線で区切られて設けられている。前記補強片の延出方向の途中には、延出方向に交差する折曲線が設けられている。組み立て状態で、前記補強片は前記上面片と反対側に折り返され、収容物は、前記立上片と前記補強片の間に挟まれて保持され、前記補強片は前記上面片と反対側に位置する前記側面に先端が当接して撓みが生じ、前記折曲線が折り曲げられている。また、前記補強片と、前記上面片と反対側に位置する前記側面との間には、平坦な収容物が挟まれて保持される。さらに、前記第二底蓋片の端部には、前記第二底蓋片と面一に外側へ突出し前記第一底蓋片の裏面に重ねられる底部ロック片が設けられ、組立状態で前記底部ロック片は前記第一底蓋片の前記立上片に交差して係止され、底部分の形状を保持する。前記立上片には、直線の押し罫線が設けられているものである。
【発明の効果】
【００１１】
本発明の緩衝機能付包装用箱は、簡単な構造により糊付け後の状態で底部と緩衝用の仕切り片の組み立てがワンタッチで確実に行われ、収容物を保護して安全に収容することができる。前記仕切りは収容物を容易に入れることができ、また収容物が当たっても曲がりにくく、作業効率がよい。
【図面の簡単な説明】
【００１２】
【図１】この発明の一実施形態の緩衝機能付包装用箱の部分破断斜視図である。
【図２】この実施形態の緩衝機能付包装用箱の使用状態を示す縦断面図である。
【図３】この実施形態の緩衝機能付包装用箱の使用状態を示す縦断面図である。
【図４】この実施形態の緩衝機能付包装用箱の使用状態を示す横断面図である。
【図５】この実施形態の緩衝機能付包装用箱の展開図である。
【発明を実施するための形態】
【００１３】
以下、この発明の実施形態について図面に基づいて説明する。図１〜図５はこの発明の一実施形態を示すもので、この実施形態の緩衝機能付包装用箱１０は、厚紙等の一枚のブランクシートを打ち抜いて形成された箱体形成片１２を組み立てて形成されている。
【００１４】
図５は、箱体形成片１２を表面から見た展開図であり、箱体形成片１２は、側面１４，１６，１８，２０が互いに平行に連接して形成されている。側面１４，１６，１８，２０は、連接している幅方向は同じ長さであり、連接方向の長さは側面１４，１８が短くて互いにほぼ等しく、側面１６，２０はやや長くて互いにほぼ等しい。さらに側面１４の側縁部には、緩衝機能付包装用箱１０の組立状態で側面２０の裏面に糊付けされる糊付片２２が設けられている。糊付片２２、側面１４，１６，１８，２０は、各々折罫線２４，２６，２８，３０で区切られている。
【００１５】
側面１４において、側面同士の連接方向に対して直角な方向の一端部には、台形状の上フラップ３２が折罫線３４で区切られて設けられている。側面１４の、折罫線３４と反対側の端部には、三角形状の底フラップ３６が折罫線３８で区切られて設けられている。底フラップ３６の、側面１６に隣接する傾斜した側縁部には、四角形状の底部糊付片４０が折罫線４２で区切られて設けられている。
【００１６】
側面１６の、側面１４の折罫線３４に隣接する端部１６ａには、端部１６ａの中心をコの字形に囲む破断線４３が設けられている。側面１６の、端部１６ａと反対側の端部には、第一底蓋片４４が折罫線４６で区切られて設けられている。第一底蓋片４４は、折罫線４６を下底とする台形状に形成され、折罫線４６から折罫線４６に対して平行な上底である端部４４ａまでの長さは、緩衝機能付包装用箱１０の組立状態で底部分の中心線付近に位置する長さよりも僅かに長く設けられている。即ち側面１４，１８の約半分の幅よりも、僅かに長く設けられている。
【００１７】
第一底蓋片４４の端部４４ａには、緩衝用の仕切り片４５が設けられている。仕切り片４５は、立上片５０、上面片５２、仕切り用糊付片５４が互いに平行に連接して形成されている。連接方向は、側面１４，１６，１８，２０に対して直角であり、連接している幅方向は、立上片５０が側面１６よりもわずかに短く、上面片５２、仕切り用糊付片５４はそれよりさらに短くて互いにほぼ等しい。連接方向の長さは、立上片５０が側面１６の約半分の長さであり、上面片５２が第一底蓋片４４よりもわずかに短く、仕切り用糊付片５４は、立上片５０よりも少し長く形成されている。第一底蓋片４４、立上片５０、上面片５２、仕切り用糊付片５４は、各々折罫線５６，５８，６０で区切られている。折罫線５６，６０には、折り曲げ易くするために切込線が設けられている。
【００１８】
折罫線５８のほぼ中心には、打ち抜き部６２が形成されている。打ち抜き部６２の形状は、立上片５０側を矩形に切り取り、上面片５２側は円形に切り取られたものである。立上片５０には、打ち抜き部６２の両側に、折罫線５６に対して直角に位置する直線の押し罫線６３が設けられている。これにより、立上片５０は折り曲げにくくなっている。
【００１９】
立上片５０には、折罫線５６に交差する一方の側縁部から、側方へ延出する補強片６４が折罫線６６で区切られて設けられている。補強片６４の延出方向の途中には、延出方向に交差する折曲線６７が設けられている。折罫線６６、折曲線６７には、曲げ易くするために切込線が設けられている。
【００２０】
側面１８の、側面１６の端部１６ａに連接する端部には、台形状の上フラップ６８が折罫線７０で区切られて設けられている。側面１８の、折罫線７０と反対側の端部には、三角形状の底フラップ７２が折罫線７４で区切られて設けられている。底フラップ７２の、側面２０に隣接する傾斜した側縁部には、四角形状の底部糊付片７６が折罫線７８で区切られて設けられている。
【００２１】
側面２０の、側面１８の折罫線７０に連接する端部には、上蓋片８０が折罫線８２で区切られて設けられている。上蓋片８０の折罫線８２の反対側の端部には、さらに差込片８４が折罫線８６で区切られて設けられている。側面２０の、折罫線８２と反対側の端部には、第二底蓋片８８が折罫線９０で区切られて設けられている。第二底蓋片８８は、折罫線９０を下底とする台形状に形成され、折罫線９０からその折罫線９０に対して平行な上底である端部８８ａまでの長さは、緩衝機能付包装用箱１０の組立状態で底部分の幅から第一底蓋片４４の幅を差し引いた長さより僅かに長いものである。端部８８ａには、側面１８から離れた位置に、端部８８ａから外側に突出する小形の四角形状のロック片９２が一体に設けられている。ロック片９２には、端部８８ａに対して直角に位置する直線の押し罫線９３が設けられている。これにより、ロック片９２は折り曲げにくくされている。
【００２２】
次に、この実施形態の緩衝機能付包装用箱１０の組立方法の一例について説明する。なお、ここでは図５が緩衝機能付包装用箱１０の箱体形成片１２の表面を見たものであり、箱体形成片１２の表面が凸になる折り方を正折り、そして裏面が凸になる折り方を逆折りと称する。
【００２３】
まず、折罫線５８を正折りし、仕切り用糊付片５４表面に糊９８を塗布し、折罫線４６を正折りして仕切り用糊付片５４の表面が側面１６の裏面に糊付けされる。そして折罫線６６を逆折りして補強片６４を立上片５０の表面に折り返して重ねる。次に、折罫線３８，７４，９０を正折りし、折罫線４２，７８を逆折りし、底部糊付片４０の裏面に糊１００を、底部糊付片７６の裏面に糊１０２を塗布する。そして、折罫線２６を正折りし、糊付片２２の表面に糊１０４を塗布し、次に折罫線３０を正折りし、側面２０の裏面が糊付片２２の表面に糊付けされる。このとき底部糊付片４０は、糊１００により第一底蓋片４４の表面に糊付けされ、底部糊付片７６は、糊１０２により第二底蓋片８８の表面に糊付けされる。これにより箱体形成片１２は折り畳み状態となり、この状態で出荷される。
【００２４】
次に、収容物を収容し包装する工場等において、折罫線２４，２６，２８，３０を各々９０度に正折りして四角形の箱体にする。このとき、底フラップ３６の底部糊付片４０は第一底蓋片４４に、底フラップ７２の底部糊付片７６は第二底蓋片８８に糊付けされているため、二つ折りされていた折罫線３８，４６，７４，９０は自動的に引き起こされてほぼ９０度に開き、底部が形成される。このとき第一底蓋片４４の立上片５０は、底部から立ち上がる。そして、第二底蓋片８８のロック片９２は、第一底蓋片４４の端部４４ａの裏面に重ねられ、立設する立上片５０とほぼ直角に交差して互いに係止される。これにより、底部分は折り畳み状態に戻ることを防ぎ、確実にロックされ箱体の底部の形状を保つ。
【００２５】
また、立上片５０が底部から立ち上がることにより、上面片５２が側面１６から引き起こされ、立上片５０と上面片５２は、互いに折罫線５８で鈍角のＬ字形に交差して位置する。そして打ち抜き部６２が箱体の中心に向かって開口され、図１に示すように緩衝機能付包装用箱１０が組み立てられる。
【００２６】
この状態で、図２〜図４に示すように、収容物１０６を箱体の中に入れる。収容物１０６は、立上片５０と上面片５２の、打ち抜き部６２に嵌合させてセットする。このとき補強片６４は、収容物１０６の側面２０側の部分に当接し、収容物１０６に押されてわずかに撓んで折曲線６７が折り曲げられる。これにより、収容物１０６は打ち抜き部６２に押しつけられて確実に保持される。また、補強片６４の折曲線６７よりも先端部分と側面２０との間には、収容物１０６の取扱説明書１０８等が挟まれて収納される。
【００２７】
次に、折罫線３４，７０で上フラップ３２，６８を正折りし、その後折罫線８２で上蓋片８０を正折りし、さらに折罫線８６を正折りして差込片８４を側面１６の内側に差し込み、閉鎖する。差込片８４と、側面１６の破断線４３で囲まれた部分を糊付けしても良い。
【００２８】
この実施形態の緩衝機能付包装用箱１０によれば、簡単な構造によりワンタッチで箱体を形成し、立上片５０と上面片５２を所定角度に設けることができ、以下のような作用・効果を奏する。先ず、補強片６４があるため立上片５０の強度がアップし、収容物１０６を箱内へ強く押し込んでも立上片５０と上面片５２の形状を保つことができる。立上片５０と上面片５２は、箱体の中心に近付くにつれて下方へ向かうように傾斜して設けられているため、収容物１０６を上方から挿入するとき、収容物１０６を上面片５２に当接させながら傾斜に沿って下降させて打ち抜き部６２に向かわせ、簡単に挿入することができる。収容物１０６は、例えば背景技術で説明したような、底が平坦なガラス瓶である場合でも、補強片６４から離れた側面１６の内側に沿わせて収容物１０６を下降させると補強片６４にぶつからずに上面片５２に達することができ、次に傾斜した上面片５２に沿って下降させ、打ち抜き部６２に容易に入れることができる。さらに、補強片６４の先端部分は、折曲線６７で折り曲げられて側面１６とほぼ平行になるため、取扱説明書１０８を挿入しやすくなる。取扱説明書１０８と収容物１０６のどちらを先に挿入してもよく、挿入順番を限定せず作業効率がよい。第二底蓋片８８の底部ロック片９２は第一底蓋片４４の立上片５０とほぼ直角に交差して互いに係止されることにより、組み立てた箱体が平坦に折り畳まれた状態に後戻りせず、組立作業の効率が良好となる。機械による自動組立や手作業の組立のいずれによっても安定して組み立てることができる。
【００２９】
また、収容物１０６は、補強片６４で打ち抜き部６２の周縁部に押しつけられて保持され、運搬中にがたつくことが無く緩衝効果が高い。さらに、側面２０と補強片６４の間に取扱説明書等を収納することにより、収容物１０６がより緩衝効果を有して保持され、安全性も高い。収容物１０６は側面１４，１６，１８，２０等、箱体の外側面に接触することが無く、外側面から衝撃が加えられても影響が小さく、破損を防ぐことができる。また立上片５０は、補強片６４と押し罫線６３が設けられているため、強度がアップし収容物１０６を挿入する際に上方から力が加えられても折り曲がることがなく作業効率がよい。そして、運搬中に収容物１０６に下方に向かって力が加えられたときにも立上片５０が撓むことがなく安全である。
【００３０】
なお、この発明の緩衝機能付包装用箱は、上記実施形態に限定されるものではなく、立上片と上面片は、第一底蓋片以外の部材に連続して設けられてもよく、形状や打ち抜き部の形状も収容物の形状や数に合わせて適宜変更可能である。箱体形成片の素材も、紙や合成樹脂等、適宜変更可能である。ロック片の形状も自由であり、確実に他部材に係止されるものであれば良い。
【符号の説明】
【００３１】
１０  緩衝機能付包装用箱
１２  箱体形成片
１４，１６，１８，２０  側面
２２  糊付片
３６，７２  底フラップ
４０，７６  底部糊付片
４４  第一底蓋片
４５  仕切り片
５０  立上片
５２  上面片
５４  仕切り用糊付片
６２  打ち抜き部
６４  補強片
６７  折曲線
８８  第二底蓋片
９２  ロック片
【図１】
0005642413.tif 000002
【図２】
0005642413.tif 000003
【図３】
0005642413.tif 000004
【図４】
0005642413.tif 000005
【図５】
0005642413.tif 000006